(57)【要約】【課題】ネジをアングル部の内周面に露出させない構造において、建物側の寸法誤差があっても内装材を枠体に対し確実に位置決めすることのできる開口部装置を提供する。【解決手段】上下の横枠と左右の縦枠とを方形状に枠組みしてなる枠体１を備え、枠体１の室内側に内装材１２を設け、枠体１は室内端部に内装材１２の内周面に対して重合されるアングル部２０ｈを有すると共に、アングル部２０ｈより外周側に係止部２０ｇを有し、係止部２０ｇにはガイド部材５０が取付けられ、ガイド部材５０はアングル部２０ｈと対向する位置決め面部５４を有し、内装材１２は室外端部がアングル部２０ｈと位置決め面部５４との間に挟まれる。【選択図】図３
2014055467.tif 000002
【特許請求の範囲】
【請求項１】
上下の横枠と左右の縦枠とを方形状に枠組みしてなる枠体を備え、該枠体の室内側に内装材を設けた開口部装置において、
前記枠体は室内端部に前記内装材の内周面に対して重合されるアングル部を有すると共に、該アングル部より外周側に係止部を有し、該係止部にはガイド部材が取付けられ、該ガイド部材は前記アングル部と対向する位置決め面部を有し、前記内装材は室外端部が前記アングル部と位置決め面部との間に挟まれることを特徴とする開口部装置。
【請求項２】
前記ガイド部材は前記係止部に対して嵌合される嵌合部を有してなることを特徴とする請求項１記載の開口部装置。
【請求項３】
前記ガイド部材は樹脂材からなることを特徴とする請求項１または２記載の開口部装置。
【請求項４】
前記ガイド部材は前記枠体の室内側面に対して当接固定される当接面部を有することを特徴とする請求項１〜３のいずれか１項に記載の開口部装置。
【請求項５】
前記位置決め面部は室内側から室外側に向かって前記アングル部に対して近づく傾斜面状に形成されてなることを特徴とする請求項１〜４のいずれか１項に記載の開口部装置。
【請求項６】
前記位置決め面部は表面が剥離自在とされてなることを特徴とする請求項１〜５のいずれか１項に記載の開口部装置。
【発明の詳細な説明】
【技術分野】
【０００１】
本発明は、建物開口部に取付けられる枠体を備えた開口部装置に関し、特に枠体の室内側に内装材を設けてなる開口部装置に関する。
【背景技術】
【０００２】
建物開口部に設けられる開口部装置は、枠体内に障子やドアまたはパネル体を納めて構成される。枠体は、上下の横枠と左右の縦枠とを方形状に枠組みして形成される。枠体の室内側には、内装材が設けられる。枠体の室内側端部には、室内側に向かって延出されるアングル部が設けられており、このアングル部が内装材の室外端部内周面に当接し、アングル部から内装材に対してネジ止めすることにより、内装材が固定されている。
【０００３】
このように内装材をアングル部からのネジで固定すると、ネジが内周面に露出することとなるため、意匠性を損ねることとなる。そこで、枠体の室内側部に係止部を設け、この係止部に内装材の室外端部を係止させることで固定し、アングル部からのネジを不要としたものが知られている。これによれば、ネジがアングル部の内周面に露出しないので、意匠性を高くすることができる。このような構造を有する開口部装置としては、例えば特許文献１に挙げるようなものがある。
【先行技術文献】
【特許文献】
【０００４】
【特許文献１】特開２０１０−５３６５８号公報
【発明の概要】
【発明が解決しようとする課題】
【０００５】
しかし、内装材を枠体に対して係止する構造にすると、建物躯体の寸法精度を高くしないとうまく係止できない可能性があった。具体的には、内装材は建物の内壁材に対し四周に渡って正確に位置決めされていないと、内観意匠を損ねることとなるので、内装材は内壁材の位置を基準に位置決めされる。一方、開口部装置の枠体は、外壁材の位置を基準に位置決めされている。このため、外壁材と内壁材の間の寸法に僅かでも誤差があると、内装材と枠体の係止部とが十分に係止できないことがあった。
【０００６】
本発明は前記課題を鑑みてなされたものであり、ネジをアングル部の内周面に露出させない構造において、建物側の寸法誤差があっても内装材を枠体に対し確実に位置決めすることのできる開口部装置を提供することを目的とする。
【課題を解決するための手段】
【０００７】
前記課題を解決するため、請求項１の発明に係る開口部装置は、上下の横枠と左右の縦枠とを方形状に枠組みしてなる枠体を備え、該枠体の室内側に内装材を設けた開口部装置において、
前記枠体は室内端部に前記内装材の内周面に対して重合されるアングル部を有すると共に、該アングル部より外周側に係止部を有し、該係止部にはガイド部材が取付けられ、該ガイド部材は前記アングル部と対向する位置決め面部を有し、前記内装材は室外端部が前記アングル部と位置決め面部との間に挟まれることを特徴として構成されている。
【０００８】
請求項１に係る発明によれば、アングル部と位置決め面部とで内装材の見付方向における位置決めをなすことができる。
【０００９】
また、請求項２の発明に係る開口部装置は、前記ガイド部材は前記係止部に対して嵌合される嵌合部を有してなることを特徴として構成されている。
【００１０】
請求項２に係る発明によれば、ガイド部材を係止部に対して容易に取付けることができる。
【００１１】
さらに、請求項３の発明に係る開口部装置は、前記ガイド部材は樹脂材からなることを特徴として構成されている。
【００１２】
請求項３に係る発明によれば、ガイド部材とアングル部によって内装材を弾性的に挟持し、内装材の室外端部を固定することができる。
【００１３】
さらにまた、請求項４の発明に係る開口部装置は、前記ガイド部材は前記枠体の室内側面に対して当接固定される当接面部を有することを特徴として構成されている。
【００１４】
請求項４に係る発明によれば、ガイド部材を枠体に対して安定的に位置決め固定することができる。
【００１５】
そして、請求項５の発明に係る開口部装置は、前記位置決め面部は室内側から室外側に向かって前記アングル部に対して近づく傾斜面状に形成されてなることを特徴として構成されている。
【００１６】
請求項５に係る発明によれば、内装材をアングル部と位置決め面部との間に容易に差し込むことができ、施工時の作業性を向上させることができる。
【００１７】
また、請求項６の発明に係る開口部装置は、前記位置決め面部は表面が剥離自在とされてなることを特徴として構成されている。
【００１８】
請求項６に係る発明によれば、ガイド部材のアングル部と対向する面の厚みを変えることができるので、厚みの異なる内装材に１種類のガイド部材で対応することができる。
【発明の効果】
【００１９】
本発明に係る開口部装置によれば、室内外方向に幅を有するアングル部と位置決め面部とで内装材の見付方向における位置決めをなすので、ネジをアングル部の内周面に露出させない構造において、建物側の寸法誤差があっても内装材を枠体に対し確実に位置決めすることができる。
【図面の簡単な説明】
【００２０】
【図１】本実施形態における開口部装置の縦断面図である。
【図２】本実施形態における開口部装置の横断面図である。
【図３】図１のうち上枠の室内側部分と内装材付近の拡大図である。
【図４】内装材を位置決め固定する際の上枠及び内装材付近の分解断面図である。
【発明を実施するための形態】
【００２１】
本発明の実施形態について図面に沿って詳細に説明する。図１には本実施形態における開口部装置の縦断面図を、図２には本実施形態における開口部装置の横断面図を、それぞれ示している。これら各図に示すように、本実施形態の開口部装置は、建物開口部に取付けられる枠体１内に内障子２と外障子３を引き違い状に納めてなる引き違い窓サッシである。
【００２２】
枠体１は、四周に枠組みされたフレーム体１０に対して固定され、フレーム体１０が建物躯体に対して固定されることにより、開口部装置が建物に対して取付けられるようになっている。上下左右のフレーム体１０は、それぞれ枠体１の外周面と対向する内周面部１０ａと、該内周面部１０ａの室外端部から外周側に向かって伸びる室外面部１０ｂとを有している。
【００２３】
枠体１は、上枠２０と下枠２１及び左右の縦枠２２，２２を方形状に枠組みしてなり、上枠２０の外周面に形成されるフィン部２０ｅがフレーム体１０の室外面部１０ｂに対して当接固定され、下枠２１の外周面に形成されるフィン部２１ｅがフレーム体１０の室外面部１０ｂに対して当接固定され、縦枠２２の外周面に形成されるフィン部２２ｅがフレーム体１０の室外面部１０ｂに対して当接固定される。
【００２４】
建物躯体には、室外側に面する外壁材１３と室内側に面する内壁材１４とが設けられ、外壁材１３と内壁材１４の間の領域にフレーム体１０及び枠体１が配置される。また、枠体１の室内側端部から内壁材１４までの内周面には、四周に渡って内装材１２が設けられている。建物躯体は、内装材１２の外周側に四周に渡り室内構造体１１を有しており、上下左右の内装材１２は、それぞれ室内構造体１１に対して固着されている。
【００２５】
枠体１を構成する上枠２０は、内周側部材２０ａと外周側部材２０ｂとを一体化して構成されている。内周側部材２０ａは、枠体１の内周面を構成する内周面部２０ｃを備え、内周面部２０ｃから下方に突出する室内外の上レール部２０ｄ，２０ｄを有している。室内外の上レール部２０ｄ，２０ｄは、それぞれ内障子２と外障子３の上辺を案内する。
【００２６】
上枠２０を構成する内周側部材２０ａには、室内端部から室内側に延出される樹脂製のアングル部２０ｈが取付けられている。アングル部２０ｈは、内装材１２の内周面室外端部に対して重合している。
【００２７】
内周側部材２０ａの内周面部２０ｃには、外周側に向かって伸びる固定片部２０ｆが形成されており、この固定片部２０ｆが外周側部材２０ｂに対して当接しネジ止め固定されている。外周側部材２０ｂは外周面に前述のフィン部２０ｅが形成されており、フィン部２０ｅがフレーム体１０の室外面部１０ｂに対して当接しネジ止め固定されている。
【００２８】
枠体１を構成する下枠２１は、内周側部材２１ａと外周側部材２１ｂとを一体化して構成されている。内周側部材２１ａは、枠体１の内周面を構成する内周面部２１ｃを備え、内周面部２１ｃから上方に突出する室内外のレール部２１ｄ，２１ｄを有している。室内外のレール部２１ｄ，２１ｄには、それぞれ内障子２と外障子３の下辺に設けられる戸車３３が載置され、内障子２と外障子３を走行自在としている。
【００２９】
下枠２１を構成する内周側部材２１ａには、室内端部から室内側に延出される樹脂製のアングル部２１ｈが取付けられている。アングル部２１ｈは、内装材１２の内周面室外端部に対して重合している。
【００３０】
内周側部材２１ａの外周側の面には、外周側に向かって伸びる固定片部２１ｆが形成されており、この固定片部２１ｆが外周側部材２１ｂに対して当接しネジ止め固定されている。外周側部材２１ｂは外周面に前述のフィン部２１ｅが形成されており、フィン部２１ｅがフレーム体１０の室外面部１０ｂに対して当接しネジ止め固定されている。
【００３１】
また、下枠２１を構成する外周側部材２１ｂには、室外端部に水切り部材２３が係合固定されている。水切り部材２３は、上面に室外側に向かう下方傾斜状の水切り面２３ａを有しており、開口部装置から排水された水を外壁材１３よりも室外側に導くことができる。
【００３２】
枠体１を構成する縦枠２２は、内周側部材２２ａと外周側部材２２ｂとを一体化して構成されている。内周側部材２２ａは、枠体１の内周面を構成する内周面部２２ｃを備えている。また、内周側部材２２ａの室内側端部には、室内側に向かって延出される樹脂製のアングル部２２ｈが取付けられている。
【００３３】
内周側部材２２ａの内周面部２２ｃには、外周側に向かって伸びる固定片部２２ｆが形成されており、この固定片部２２ｆが外周側部材２２ｂに対して当接しネジ止め固定されている。外周側部材２２ｂは外周面に前述のフィン部２２ｅが形成されており、フィン部２２ｅがフレーム体１０の室外面部１０ｂに対して当接しネジ止め固定されている。また、縦枠２２は、室外側面の外周側部分が、室外カバー材２２ｍによって構成されている。室外カバー材２２ｍは、縦枠２２に対して係合固定されており、縦枠２２の室外側面と面一状となる。
【００３４】
内障子２と外障子３は、それぞれ上框３０と下框３１及び左右の縦框３２，３２を方形状に框組みしてなる框体４内に、ガラス板からなるパネル体５を納めて構成されている。
【００３５】
次に、内装材１２の位置決めについて詳細に説明する。図３には、図１のうち上枠２０の室内側部分と内装材１２付近の拡大図を示している。上枠２０は、室内側面のうちアングル部２０ｈよりも外周側の位置に、室内側に向かって突出する係合片２０ｇが形成されている。係合片２０ｇは、上枠２０の長手方攻略全長に渡って形成されている。
【００３６】
上枠２０の係合片２０ｇに対し、ピース状のガイド部材５０が取付けられている。ガイド部材５０は樹脂材によって形成されており、係合片２０ｇの長手方向複数箇所に取付けられている。
【００３７】
ガイド部材５０は、上枠２０の室内側面に対して当接し固定される当接面部５１と、上枠２０の係合片２０ｇに対して嵌合される嵌合部５２と、嵌合部５２の部分から室内側に向かって突出する室内突出部５３とを有して構成されている。室内突出部５３のうち枠体１の内周側を向く面は、内装材１２の見付方向位置を規定する位置決め面部５４となっている。
【００３８】
ガイド部材５０の当接面部５１は、上枠２０の室内側面に対して接着固定される。当接面部５１をガイド部材５０が有していることにより、ガイド部材５０を安定的に枠体１に対して位置決め固定することができる。
【００３９】
内装材１２は、室外端部がアングル部２０ｈとガイド部材５０の位置決め面部５４との間に挟まれることで、見付方向に位置決めされている。位置決め面部５４は、室内側から室外側に向かってアングル部２０ｈに対して近づく傾斜面状に形成されている。このため、アングル部２０ｈと位置決め面部５４との間の間隔は、室内側ほど広くなっている。これにより、内装材１２を位置決めする際に、内装材１２の室外端部をアングル部２０ｈと位置決め面部５４の間の領域に差し込みやすくすることができ、作業性を向上させることができる。
【００４０】
本実施形態では、アングル部２０ｈと位置決め面部５４の間の最深部における最小間隔を、内装材１２の厚みに若干のクリアランスを加えた同等の大きさに設定しているので、内装材１２はアングル部２０ｈと位置決め面部５４とに挟まれることで位置決めされ、それより室内側部分で室内構造体１１に対して固定されるようになっている。
【００４１】
一方で、アングル部２０ｈと位置決め面部５４の間の間隔を、内装材１２の厚みと同じまたはやや小さく設定することにより、内装材１２の室外端部をアングル部２０ｈと位置決め面部５４とで挟持固定することもできる。ガイド部材５０及びアングル部２０ｈは、いずれも樹脂材によって形成されているので、内装材１２の室外端部を弾性的に挟持固定することが可能である。
【００４２】
図４には、内装材１２を位置決め固定する際の上枠２０及び内装材１２付近の分解断面図を示している。図４（ａ）に示すように、まず、上枠２０の係合片２０ｇに対して、ガイド部材５０の嵌合部５２を嵌合させると共に、ガイド部材５０の当接面部５１を上枠２０の室外側面に対して接着固定する。当接面部５１には予め両面テープが設けられており、ガイド部材５０を係止部１１ｇに嵌合させるのに伴って当接面部５１も上枠２０の室外側面に固定することができる。
【００４３】
次に、図４（ｂ）に示すように、内装材１２をアングル部２０ｈとガイド部材５０の位置決め面部５４の間の隙間に対し室内側から挿入する。これにより、内装材１２が見付方向に位置決めされ、さらに内装材１２を室内構造体１１に対して固定することにより、内装材１２の位置決め固定が完了する。
【００４４】
図３及び図４では、上枠２０に取付けられるガイド部材５０について説明したが、下枠２１及び縦枠２２についても、同様にガイド部材５０が取付けられ、ガイド部材５０の位置決め面部５４とアングル部の間に内装材１２の室外端部が挟まれることによって、内装材１２の位置決めがなされる。
【００４５】
このように、枠体１のアングル部よりも外周側に形成される係止部にピース状のガイド部材５０を取付け、ガイド部材５０の位置決め面部５４とアングル部との間に内装材１２の室外端部が挟まれるようにしたことで、内装材１２の位置が室内外方向に若干の位置ずれを生じていたとしても、内装材１２を見付方向に確実に位置決めすることができるから、内装材１２を固定するためのネジをアングル部の内周面に露出させない構造において、建物側に寸法誤差があっても内装材１２を枠体１に対し確実に位置決めすることができる。
【００４６】
また、ガイド部材５０の突出部５３の厚みによって、位置決め面部５４とアングル部との間隔を変化させることができるので、ガイド部材５０を変更するだけで、厚みの異なる内装材１２に対応することができる。さらに、突出部５３内に空洞を形成して、位置決め面部５４を剥離自在となるように構成することもできる。この場合には、剥離後の表面も位置決め面部５４として機能するように形成しておくことで、位置決め面部５４の剥離の有無により突出部５３の厚みを変化させることができるから、１種類のガイド部材５０で厚みの異なる内装材１２に対応することができる。
【００４７】
以上、本発明の実施形態について説明したが、本発明の適用は本実施形態には限られず、その技術的思想の範囲内において様々に適用されうるものである。
【符号の説明】
【００４８】
１    枠体
２    内障子
３    外障子
４    框体
５    パネル体
１０    フレーム体
１１    室内構造体
１２    内装材
１３    外壁材
１４    内壁材
２０    上枠
２０ｇ  係合片
２０ｈ  アングル部
２１    下枠
２１ｇ  係合片
２１ｈ  アングル部
２２    縦枠
２２ｇ  係合片
２２ｈ  アングル部
５０    ガイド部材
５１    当接面部
５２    嵌合部
５３    室内突出部
５４    位置決め面部
【図１】
2014055467.tif 000003
【図２】
2014055467.tif 000004
【図３】
2014055467.tif 000005
【図４】
2014055467.tif 000006